(57)【要約】【課題】通信端末と応用端末との間の接続の自由度を大きくしながら、通信端末が有するデータのうちの所定のデータを応用端末に有効に転送する。【解決手段】利用者は、応用端末３０の設置場所とは関係なく、通信端末１０を操作し、ネットワーク２０を介して、センタ２２から目的地の位置を示すデータを取得し、記憶部１４に記憶する。次に、通信端末１０を応用端末３０の設置場所に持って行き、記憶部１４に記憶した目的地の位置を示すデータに基づいて、通信端末側データ転送部１２から応用端末３０に、位置データのデータ形式に応じて適切な方法で、座標データファイルを送信する。応用端末３０は、通信端末１０から送信された座標データファイルを受信し、別途取得した現在位置とにより、経路案内部３６で、目的地までの経路を探索し、表示部３２に表示する。【選択図】　図１
2004140494.tif 000002
【特許請求の範囲】
【請求項１】
通信端末と、前記通信端末とデータの転送を行なう応用端末とを含むデータ転送システムであって、
前記通信端末は、他の装置と通信を行なう通信手段と、前記通信手段が受信した受信データを送信用データに加工する加工手段と、前記通信端末を操作する通信端末操作手段と、前記応用端末とデータの転送を行なう通信端末側データ転送手段とを備え、
前記応用端末は、前記通信端末とデータの転送を行なう応用端末側データ転送手段を備え、
前記通信端末は、前記通信端末操作手段の操作により、前記送信用データを、前記通信端末側データ転送手段から、前記応用端末側データ転送手段に転送することを特徴とするデータ転送システム。
【請求項２】
前記加工手段は、テキスト形式のデータから、あらかじめ定めた様式を抽出し、前記送信用データに加工することを特徴とする請求項１記載のデータ転送システム。
【請求項３】
前記加工手段は、バイナリ形式のデータから、前記バイナリ形式のデータに付与された表題に基づいて指定されたデータを抽出し、前記送信用データに加工することを特徴とする請求項１記載のデータ転送システム。
【請求項４】
前記通信端末は、前記受信データの少なくとも一部を表示する表示手段と、所定のデータであることを定義づけるあらかじめ定めたタグセットが前記受信データに付加されているかを確認するタグセット確認手段と、前記タグセット確認手段が、前記受信データに前記タグセットが付加されていないと確認したとき、前記受信データにタグセットを付加するタグセット付加手段とを備え、前記タグセットが付加された前記受信データと、文字列とを関連づけて前記文字列を前記表示手段に表示し、前記表示手段に表示された前記文字列を前記通信端末操作手段の操作によって指示することにより、前記文字列と関連づけられた前記受信データを、あらかじめ定められた様式を抽出し送信用データに加工して、前記ファイルを前記通信端末側データ転送手段から前記応用端末側データ転送手段に転送することを特徴とする請求項１記載のデータ転送システム。
【請求項５】
前記受信データを送信用データに加工する動作と、前記送信用データの前記応用端末への転送のうち少なくとも一つを含むアプリケーション動作が、前記通信端末操作手段の操作により起動されることを特徴とする請求項１記載のデータ転送システム。
【請求項６】
前記応用端末は、前記応用端末が有する送信用データを、前記応用端末側データ転送手段から、前記通信端末側データ転送手段に転送することを特徴とする請求項１記載のデータ転送システム。
【請求項７】
前記応用端末は、前記応用端末を操作する応用端末操作手段を備え、前記応用端末操作手段の操作により前記応用端末が有するデータの少なくとも一部をあらかじめ定めた様式のテキスト形式のファイルに複写し前記送信用データを生成することを特徴とする請求項６記載のデータ転送システム。
【請求項８】
前記応用端末は、前記応用端末を操作する応用端末操作手段を備え、前記応用端末操作手段の操作により前記応用端末が有するデータの少なくとも一部をバイナリ形式のファイルとし前記送信用データを生成することを特徴とする請求項６記載のデータ転送システム。
【請求項９】
前記送信用データの生成と、前記送信用データの前記通信端末への転送のうち少なくとも一つを含む動作が、前記応用端末操作手段の操作により起動されることを特徴とする請求項６記載のデータ転送システム。
【請求項１０】
前記応用端末側データ転送手段は、前記送信用データを、あらかじめ定めたタイミングで送信し、前記通信端末側データ転送手段は、前記送信用データを受信し、前記通信手段は、前記送信用データを、前記応用端末を識別する応用端末識別符号と共に、前記他の装置に送信することを特徴とする請求項６記載のデータ転送システム。
【請求項１１】
前記応用端末は、時間を測定する時間測定手段を備え、前記あらかじめ定めたタイミングは、あらかじめ定めた時間毎であることを特徴とする請求項１０記載のデータ転送システム。
【請求項１２】
前記応用端末は、移動距離を測定する移動距離測定手段を備え、前記あらかじめ定めたタイミングは、あらかじめ定めた移動距離毎であることを特徴とする請求項１０記載のデータ転送システム。
【請求項１３】
他の装置と通信を行なう通信手段と、前記通信手段が受信した受信データを送信用データに加工する加工手段と、自端末を操作する通信端末操作手段と、応用端末とデータの転送を行なう通信端末側データ転送手段とを備え、前記通信端末操作手段の操作により、前記送信用データを、前記通信端末側データ転送手段から、前記応用端末側データ転送手段に転送することを特徴とする通信端末。
【請求項１４】
通信端末とデータの転送を行なう応用端末側データ転送手段を備え、
他の装置と通信を行なう通信手段と、前記通信手段が受信した受信データを送信用データに加工する加工手段と、前記通信端末を操作する通信端末操作手段と、前記応用端末側データ転送手段とデータの転送を行なう通信端末側データ転送手段とを備えた前記通信端末の前記通信端末操作手段の操作により、前記通信端末側データ転送手段から前記応用端末側データ転送手段に送信された前記送信用データを、前記応用端末側データ転送手段で受信することを特徴とする応用端末。
【請求項１５】
通信端末と、前記通信端末と位置を示す座標データの転送を行なう応用端末とを含むデータ転送システムであって、
前記通信端末は、他の装置と通信を行なう通信手段と、前記通信手段が受信した受信データを記憶する記憶手段と、前記通信端末を操作する通信端末操作手段と、前記応用端末とデータの転送を行なう通信端末側データ転送手段とを備え、
前記応用端末は、前記通信端末とデータの転送を行なう応用端末側データ転送手段を備え、
前記通信端末は、前記通信端末操作手段の操作により、前記記憶手段が記憶した受信データのうち、位置を示す座標データを、前記通信端末側データ転送手段から、前記応用端末側データ転送手段に転送することを特徴とするデータ転送システム。
【発明の詳細な説明】
【０００１】
【発明の属する技術分野】
本発明は、他の装置から受信した、例えば、位置データといったあらかじめ定めたデータ種別に適応した適応データを、通信端末を介して応用端末に転送するデータ転送システムに関する。
【０００２】
【従来の技術】
従来のデータ転送システムは、あらかじめパソコン装置を使用して現在位置から目的地までの案内ルートを設定し、設定された案内ルートを付加した電子メールを作成してセンタに保存しておき、通信端末としての携帯電話と応用端末としてのナビゲーション装置とをモデムを介して接続している状態にて、ナビゲーション装置を操作し、モデムおよび携帯電話を用いてＰＰＰ（Ｐｏｉｎｔ　ｔｏ　Ｐｏｉｎｔ　Ｐｒｏｔｏｃｏｌ）方式で情報センタにアクセスし、電子メールを受信して、ナビゲーション装置はその座標情報にある場所を含む地図情報を表示している（例えば、特許文献１参照）。
【０００３】
【特許文献１】
特開平１１−５３２７８号公報（第３−４頁、第１図）
【０００４】
【発明が解決しようとする課題】
しかし、このような従来のデータ転送システムでは、応用端末と通信端末とを有線で接続して、応用端末を操作してあらかじめ定めたデータ種別を含むデータを受信するので、必ず応用端末のある場所で通信端末を接続して通信端末と応用端末との間でデータの転送を行なわなければならないという問題があった。
【０００５】
本発明は、このような従来の問題を解決するためになされたもので、応用端末と通信端末とを有線で接続して、あらかじめ定めたデータ種別を含むデータを受信する必要無しに、受信したデータから当該データ種別のデータを応用端末に転送することができるデータ転送システムを提供するものである。
【０００６】
【課題を解決するための手段】
本発明のデータ転送システムは、通信端末と、通信端末とデータの転送を行なう応用端末とを含むデータ転送システムであって、通信端末が、他の装置と通信を行なう通信手段と、通信手段が受信した受信データを送信用データに加工する加工手段と、通信端末を操作する通信端末操作手段と、応用端末とデータの転送を行なう通信端末側データ転送手段とを備え、応用端末が、通信端末とデータの転送を行なう応用端末側データ転送手段を備え、通信端末が、通信端末操作手段の操作により、送信用データを、通信端末側データ転送手段から、応用端末側データ転送手段に送信する構成を有している。
【０００７】
この構成により、応用端末と通信端末とを有線で接続すること無しに、あらかじめ定めたデータ種別を含むデータを受信し、その後、通信端末が受信したデータから当該データ種別のデータを応用端末に転送することができる。
【０００８】
また、本発明のデータ転送システムは、加工手段が、テキスト形式のデータから、あらかじめ定めた様式を抽出し、送信用データに加工する構成を有している。この構成により、表示手段にデータを表示して参照することにより応用端末に転送する所定のデータを選択することができる。
【０００９】
また、本発明のデータ転送システムは、加工手段が、バイナリ形式のデータから、バイナリ形式のデータに付与された表題に基づいて指定されたデータを抽出し、送信用データに加工する構成を有している。この構成により、受信データに付与された表題を参照することにより応用端末に転送する所定のデータを選択することができる。
【００１０】
また、本発明のデータ転送システムは、通信端末が、受信データの少なくとも一部を表示する表示手段と、所定のデータであることを定義づけるあらかじめ定めたタグセットが受信データに付加されているかを確認するタグセット確認手段と、タグセット確認手段が、受信データにタグセットが付加されていないと確認したとき、受信データにタグセットを付加するタグセット付加手段とを備え、タグセットが付加された受信データと、文字列とを関連付けて文字列を表示手段に表示し、表示手段に表示された文字列を通信端末操作手段の操作によって指示することにより、文字列と関連づけられた受信データを、あらかじめ定められた様式を抽出し送信用データに加工して、ファイルを通信端末側データ転送手段から応用端末側データ転送手段に送信する構成を有している。
【００１１】
この構成により、表示された文字列を選択することにより、文字列と関連づけられた受信データをあらかじめ定められた様式を抽出し送信用データに加工して応用端末に転送されるので、容易に所定のデータの選択を行なうことができる。
【００１２】
また、本発明のデータ転送システムは、受信データを送信用データに加工する動作と、送信用データの応用端末への転送のうち少なくとも一つを含むアプリケーション動作を、通信端末操作手段の操作により起動する構成を有している。この構成により、応用端末の操作を必要とせず、通信端末の操作で送信用データに加工する動作や、送信用データの応用端末への転送を行なうことができる。
【００１３】
また、本発明のデータ転送システムは、応用端末において、応用端末が有する送信用データを、応用端末側データ転送手段から、通信端末側データ転送手段に転送する構成を有している。この構成により、応用端末の有する、例えば、利用者が走行する位置情報、走行軌跡情報、地点登録情報といった所定のデータを通信端末へ転送することができる。
【００１４】
また、本発明のデータ転送システムは、応用端末に、応用端末を操作する応用端末操作手段を備え、応用端末操作手段の操作により応用端末が有するデータの少なくとも一部をあらかじめ定めた様式のテキスト形式のファイルに複写し送信用データを生成する構成を有している。この構成により、データを参照して通信端末に転送する送信用データを生成することができる。
【００１５】
また、本発明のデータ転送システムは、応用端末が、応用端末を操作する応用端末操作手段を備え、応用端末操作手段の操作により応用端末が有するデータの少なくとも一部をバイナリ形式のファイルとし送信用データを生成する構成を有している。この構成により、データに付与された表題を参照することにより通信端末に転送する送信用データを生成することができる。
【００１６】
また、本発明のデータ転送システムは、送信用データの指定と、送信用データの通信端末への転送のうち少なくとも一つを含む動作が、応用端末操作手段の操作により起動される構成を有している。この構成により、応用端末から通信端末へのデータの転送を応用端末操作手段の操作により行なうことができる。
【００１７】
また、本発明のデータ転送システムは、応用端末側データ転送手段が、送信用データを、あらかじめ定めたタイミングで送信し、通信端末側データ転送手段が、送信用データを受信し、通信手段が、送信用データを、応用端末を識別する応用端末識別符号と共に、他の装置に送信する構成を有している。この構成により、通信端末は、あらかじめ定めたタイミングで自動的に応用端末から送信された適応データを、他の装置に送信することができる。
【００１８】
また、本発明のデータ転送システムは、応用端末が、時間を測定する時間測定手段を備え、あらかじめ定めたタイミングが、あらかじめ定めた時間毎である構成を有している。この構成により、たとえば現在位置といった適応データを一定時間毎に定期的に送信することができる。
【００１９】
また、本発明のデータ転送システムは、応用端末が、移動距離を測定する移動距離測定手段を備え、あらかじめ定めたタイミングが、あらかじめ定めた移動距離毎である構成を有している。
【００２０】
この構成により、時間経過に対する移動距離の変動が大きい場合に、単位時間あたりの移動距離が極めて少ない場合や大きい場合は、単位時間毎ではなく、単位距離毎に効率よく適応データを送信することができる。
【００２１】
さらに、本発明のデータ転送システムは、通信端末と、通信端末と位置を示す座標データの転送を行なう応用端末とを含むデータ転送システムであって、通信端末が、他の装置と通信を行なう通信手段と、通信手段が受信した受信データを記憶する記憶手段と、通信端末を操作する通信端末操作手段と、応用端末とデータの転送を行なう通信端末側データ転送手段とを備え、応用端末が、通信端末とデータの転送を行なう応用端末側データ転送手段を備え、通信端末が、通信端末操作手段の操作により、記憶手段が記憶した受信データのうち、位置を示す座標データを、通信端末側データ転送手段から、応用端末側データ転送手段に転送する構成を有している。
【００２２】
この構成により、応用端末と通信端末とを有線で接続すること無しに、通信端末で位置を示す座標データを含むデータを受信し、その後、通信端末が受信したデータから位置を示す座標データを応用端末に転送することができる。
【００２３】
【発明の実施の形態】
以下、本発明の実施の形態について、図面を用いて説明する。
【００２４】
（第１の実施の形態）
図１は、本発明の第１の実施の形態におけるデータ転送システムの概略構成を示すブロック図である。図１において、本発明のデータ転送システムは、携帯電話機などの通信端末１０と、ナビゲーション装置などの応用端末３０を備えている。
【００２５】
通信端末１０は、持ち運び可能な携帯電話機などで構成され、ネットワーク２０を介して情報データベース２１およびセンタ２２と無線電話通信あるいは無線データ通信を行うことができる通信部１１と、応用端末３０との間でＢｌｕｅｔｏｏｔｈ信号の様な微弱電波または赤外線通信の様な光通信によって機器間通信を行う通信端末側データ転送部１２と、通信部１１が取得した情報を記憶し、保持する記憶部１４と、利用者が通信端末１０の操作を行なうために操作する操作部１５と、通信部１１が取得した情報などを表示する表示部１６と、これらを制御する制御部１３とを備えている。
【００２６】
そして、応用端末３０は、車両に搭載され、あるいは人が担いだり持ったりして、ＧＰＳ装置（図示せず）や自律航法センサ（図示せず）などの情報に基づいて現在位置データを算出する位置算出部３７と、地図やその他の情報を記憶し、保持する記憶部３３と、通信端末１０との間でＢｌｕｅｔｏｏｔｈ信号の様な微弱電波または赤外線通信の様な光通信によって機器間通信を行う応用端末側データ転送部３１と、現在位置及びデータ転送部３１を介して通信端末１０より取得した位置データをもとに経路案内を行う経路案内部３６と、経路案内部３６によって得られた経路案内情報や現在位置やその周辺の地図などの情報を表示する表示部３２と、利用者が応用端末３０の操作を行うために操作する操作部３５と、これらを制御する制御部１３とを備えている。
【００２７】
次に、図２、図３を用いて本発明の第１の実施の形態におけるデータ転送システムの動作を説明する。図２は、本発明の第１の実施の形態におけるデータ転送システムの動作を示す流れ図であり、図３は、本発明の第１の実施の形態における表示部１６に表示した表示データ例および応用端末３０に転送するための送信用データとして生成した複写データの例を示す図である。
【００２８】
利用者は、まず、通信端末１０の操作部１５を操作し、アプリケーションを起動して自動的に外部から受信したデータを記憶部１４に記憶したり、適応データを指定したり、適応データを応用端末に転送したりするか、それとも、これらの動作をすべてマニュアル（手動動作）で行なうかどうかを選択する（ステップ（以下Ｓと記す）１０１）。
【００２９】
マニュアルで行うことを選択した場合、自宅などで、操作部１５を操作し、通信部１１をネットワーク２０を介してセンタ２２と接続し、センタ２２から目的地の位置を示す座標データを含む受信データを取得するなどし、通信端末１０の記憶部１４にあらかじめ、その受信データを記憶しておく（Ｓ１０２）。
【００３０】
利用者は、通信端末１０を持って、応用端末３０を搭載した車両（図示せず）に搭乗し、目的地の位置を示す座標データを応用端末に転送するための操作を操作部１５によって行なう。そして、次に、受信データがテキスト形式かバイナリ形式かを受信データのあらかじめ決められた位置に示されるデータ構造インデックスにより調べる（Ｓ１０３）。
【００３１】
記憶部１４に記憶される受信データが、テキスト形式であれば、利用者は、操作部１５の操作により受信データを表示部１６に、図３（ａ）に示すように表示させる。すなわち、名称は、例えば、「ＮＡＭＥ：ＡＢＣマリーナ」、電話番号は、例えば、「ＴＥＬ：０３１２３４５６７８」、住所は、例えば「ＡＤＲ：東京都港区台場１−１」、位置を示すデータは、例えば、「ＰＯＳ：Ｎ３５．３７．２８．７２；Ｅ１３９．３７．５２．１２」と表示する。
【００３２】
利用者は、表示されたデータを参照することによって、応用端末３０に送信すべき位置を示す座標データ（Ｎ３５．３７．２８．７２；Ｅ１３９．３７．５２．１２）を選択すると（Ｓ１０４）、次に、図３（ｂ）に示す様に、制御部１３は、選択した位置を示す座標データをあらかじめ定めた様式のファイルに複写する（Ｓ１０５）。
【００３３】
記憶部１４に記憶される受信データが、バイナリ形式であった場合には、利用者は、操作部１５の操作によって、図３（ｃ）に示すように、表示部１６に、例えば、▲１▼ＡＢＣマリーナ、▲２▼ＸＹＺレストラン、▲３▼ＤＥＦシティといった受信データに付与された表題を表示させる。そして、表示させた表題を参照して、応用端末３０に送信すべき位置を示すデータを選択する（Ｓ１０６）。例えば、▲１▼ＡＢＣマリーナを選択する。
【００３４】
受信データがバイナリ形式である場合には、応用端末に転送する位置を示す座標データのデータ量がテキスト形式である場合に比してデータ量が大幅に削減できる。
【００３５】
利用者が、アプリケーションを起動して自動設定を選択すると、前記アプリケーション動作の中で利用者に選択や入力を要求する場面を除いて、自動的に目的地の位置を示すデータを含む受信データを記憶部に記憶し、利用者が位置を示すデータを選択する。すなわち、受信データを送信用データに加工する。アプリケーションによる自動設定の場合も、マニュアル設定の場合も、次に、送信用加工データである選択した位置を示す座標データを通信端末側データ転送部１２から応用端末３０に向けて送信する（Ｓ１０７）。
【００３６】
応用端末３０は、通信端末側データ転送部１２から送信された位置を示す座標データを、応用端末側データ転送部３１で受信する（Ｓ１０８）。応用端末３０は、受信したが座標データを記憶部３３に記憶する。そして、位置算出部３７が、応用端末３０の現在位置を算出する（Ｓ１０９）と、経路案内部３６が、位置算出部３７が算出した現在位置から、記憶部３３に記憶した座標データを目的地として、目的地までの経路を探索し（Ｓ１１０）、その探索した経路に対応した地図を記憶部３３から選択する（Ｓ１１１）。そして、現在位置から目的地までの経路を地図と共に、表示部３２に適宜表示する（Ｓ１１２）。
【００３７】
以上説明したように、本実施の形態によれば、応用端末３０と通信端末１０とを有線で接続した状態にする必要無しに、通信端末１０の操作部１５の操作により、通信端末１０の記憶部１４に外部から取得した受信データをあらかじめ記憶し、記憶した受信データの内から、位置を示す座標データを、テキスト形式のデータの場合は、そのままその座標データを、また、バイナリ形式のデータの場合は、表題をそれぞれ表示部１６に表示し、その表示を参照することにより応用端末３０に転送したい項目を選択する。
【００３８】
その後、通信端末１０と応用端末３０とを通信可能な状態にして、通信端末側データ転送部１２から、応用端末側データ転送部３１に選択した座標データを送信するので、あらかじめ自宅などで通信端末１０で位置を示すデータを受信し、その後、当該位置を示す座標データを応用端末３０に転送することができる。
【００３９】
なお、送信用データが位置を示す座標データの場合で説明したが、本発明は、位置を示す座標データに限定されることなく、画像を示す描画データや音を示すＭＩＤＩデータ、あるいは、応用端末を遠隔操作する制御コードなどでも同様の効果が得られるものである。
【００４０】
また、通信端末１０は、持ち運び可能な携帯電話機で、応用端末３０は、車両に搭載されたナビゲーション装置の場合で説明したが、本発明は、これらに限定されることなく、通信端末１０は、通信機能を装備したノートパソコンやＰＤＡでもよく、応用端末３０は、可搬型ナビゲーション装置や、船舶や航空機に搭載したナビゲーション装置や、静止画再生装置や、動画再生装置や、音データ再生装置などでも同様の効果が得られるものである。
【００４１】
また、位置を示す座標データは、経度と緯度で示される座標データの場合で説明したが、ある地点を基点としたベクトル座標や、極座標データなどでも同様の効果が得られるものである。
【００４２】
（第２の実施の形態）
本発明の第２の実施の形態におけるデータ転送システムは、アプリケーションを起動するかどうかの選択を省略している点と、転送するデータの形式およびその処理・動作のみが、第１の実施の形態と異なり、その他の構成および動作は、第１の実施の形態と同じであるので、そのデータの形式およびその処理・動作に関して異なる点を中心に、図４、図５を用いて説明する。
【００４３】
図４は、本発明の第２の実施の形態におけるデータ転送システムの動作を示す流れ図であり、図５は、本発明の第２の実施の形態におけるデータ転送システムの受信データの表示例を示す図である。
【００４４】
本実施の形態では、まず、第１の実施の形態においてマニュアル動作を選択した場合と同様に、目的地の位置を示す受信データを記憶部１４に記憶する（Ｓ２０１）。制御部１３は、記憶部１４に記憶した受信データのうち、位置を示すデータに、位置を示すデータであることを定義づけるためのあらかじめ定めたタグセット（例えば「ＰＯＳ：」と改行記号のセット）が付加されていないかどうかを確認する（Ｓ２０２）。タグセットが付加されていなければ、それを付加し（Ｓ２０３）、タグセットが付加された位置を示すデータ（例えば、「ＰＯＳ：Ｎ３５．３７．２８．７２；Ｅ１３９．３７．５２．１２」）と、例えば、図５に示すように、「応用端末へ送信」といった文字列と関連づけて表示部１６に表示する（Ｓ２０４）。
【００４５】
利用者が、表示された「応用端末へ送信」という文字列をクリック操作すると（Ｓ２０５）、制御部１３は、「応用端末へ送信」という文字列と関連づけられた座標データ（例えば、「Ｎ３５．３７．２８．７２；Ｅ１３９．３７．５２．１２」）を第１の実施の形態における図３（ｂ）と同様のファイルに複写し（Ｓ２０６）、応用端末３０に送信する（Ｓ２０７）。
【００４６】
応用端末３０が、通信端末１０から送信された座標データファイルを受信した後の動作（Ｓ２０８〜Ｓ２１２）は、第１の実施の形態における応用端末３０の動作（Ｓ１０８〜Ｓ１１２）と同じであるので、その説明は省略する。
【００４７】
このようにすれば、利用者は、位置を示すデータを選択するための操作を簡単に行うことができる。
【００４８】
なお、本実施の形態では、マニュアル動作の場合で説明したが、第１の実施の形態のように、アプリケーションを起動して自動設定させるようにしても同様の効果が得られる。
【００４９】
（第３の実施の形態）
本発明の第３の実施の形態におけるデータ転送システムは、転送するデータの方向および処理・動作のみが、第１の実施の形態と異なり、その他の構成および動作は、第１の実施の形態と同じであるので、その処理・動作に関して異なる点を中心に、図６を用いて説明する。
【００５０】
図６は、本発明の第３の実施の形態におけるデータ転送システムの動作を示す流れ図である。
【００５１】
本実施の形態では、利用者は、操作部３５を操作して、応用端末３０のアプリケーションを起動して、自動的に現在位置を算出したり、現在位置を示す座標データを通信端末１０に転送したりするか、あるいは、マニュアル動作でそれらをおこなうかを選択する（Ｓ３０１）。
【００５２】
マニュアル動作を選択した場合、操作部３５の操作により、位置算出部３７が、車両の現在位置を示すデータを算出し（Ｓ３０２）、算出した位置を示すデータがテキスト形式かバイナリ形式かによって次の動作を切り換える（Ｓ３０３）。位置データがテキスト形式であれば、利用者は、操作部３５を操作し、位置データを表示部３２に表示させる。
【００５３】
利用者は、表示させたデータを参照することによって、通信端末１０に送信すべき位置を示すデータを選択し（Ｓ３０４）、選択した位置を示すデータをあらかじめ定めた様式の座標データファイルに複写する（Ｓ３０５）。
【００５４】
また、算出した位置を示すデータがバイナリ形式である場合は、利用者は、操作部３５の操作により、バイナリ形式のデータに付与された表題を表示部３２に表示させ、それを参照することによって、通信端末１０に送信すべき位置を示すデータを選択する（Ｓ３０６）。
【００５５】
利用者が、アプリケーションを起動して自動設定を選択すると、前記アプリケーション動作の中で利用者に選択や入力を要求する場面を除いて、自動的に現在位置を示すデータを算出し、必要があれば、利用者が位置を示すデータを選択する。
【００５６】
以降は、アプリケーションによる自動設定の場合も、マニュアル設定の場合でも、選択した位置を示す座標データを、応用端末側データ転送部３１より、通信端末１０の通信端末側データ転送部１２に送信する（Ｓ３０７）。通信端末３０は、通信端末側データ転送部３１から送信された座標データを、通信端末側データ転送部１２で受信する（Ｓ３０８）。
【００５７】
通信部１１は、記憶部１４にあらかじめ登録しているインターネットプロバイダーの電話番号に発呼し（Ｓ３０９）、ネットワーク２０を経由してインターネット上の情報データベース２１にアクセスし、応用端末３０より受信した座標データが示す位置周辺の情報を取得し（Ｓ３１０）、取得した周辺の情報を通信端末側データ転送部１２から、応用端末３０に送信する（Ｓ３１１）。
【００５８】
応用端末側データ転送部３１は、通信端末１０より送信された周辺の情報を受信し（Ｓ３１２）、受信した周辺の情報を記憶部３３に記憶されている当該地図と共に、表示部３２に表示する（Ｓ３１３）。
【００５９】
以上、説明したように、本実施の形態によれば、通信端末１０から応用端末３０へのデータ転送だけでなく、応用端末３０で取得したテキスト形式、あるいは、バイナリ形式の位置を示すデータの座標データを、通信端末１０へ転送し、その座標データに関連するデータを他の装置から取得して応用端末に転送することができる。
【００６０】
（第４の実施の形態）
本発明の第４の実施の形態におけるデータ転送システムは、転送するタイミングの処理・動作のみが、第３の実施の形態と異なり、その他の構成および動作は、第３の実施の形態と同じであるので、その処理・動作に関して異なる点を中心に、図７を用いて説明する。
【００６１】
図７は、本発明の第４の実施の形態におけるデータ転送システムの動作を示す流れ図である。
【００６２】
本実施の形態では、まず、応用端末３０から通信端末１０に、現在位置を示す座標データを送信するタイミングを、一定時間経過後か、あるいは、一定距離移動後かを設定する（Ｓ４０１）。一定時間経過後の場合は、タイマー（図示せず）のカウントにより一定時間経過後に次のステップに進む（Ｓ４０２）ことになる。そして、その時点でタイマーはリセットされ、再び経過時間の測定をはじめる。
【００６３】
一定距離移動後の場合は、移動距離をトリップ計（図示せず）などで計測し、一定距離移動した後、次のステップに進む（Ｓ４０３）ことになる。そして、その時点でトリップ計はリセットされ、再び、移動距離の測定をはじめる。位置算出部３７は、現在位置を算出する（Ｓ４０４）。応用端末側データ転送部３１は、現在位置を示すデータを記述した座標データファイルを通信端末１０に送信する（Ｓ４０５）。
【００６４】
通信端末側データ転送部１２が、応用端末３０からの座標データファイルを受信すると（Ｓ４０６）、通信部１１は、その座標データを、応用端末３０から、あらかじめ、あるいは、座標データファイルと同時に、受信した応用端末３０を識別する応用端末識別符号と共に、ネットワーク２０を介して、センタ２２に送信する。
【００６５】
応用端末３０は、前回の送信から一定時間経過する、あるいは、一定距離移動する毎に、その時点で現在位置を算出し（Ｓ４０４）、通信端末１０に位置を示す座標データファイルを送信する（Ｓ４０５）動作を繰り返す。
【００６６】
通信端末１０は、応用端末３０から送信されてくる座標データファイルを、順次受信し、その座標データを、応用端末３０の応用端末識別符号と共に、ネットワーク２０を介して、センタ２２に送信する。センタ２２は、一定時間経過毎、あるいは、一定距離移動毎に順次送られてくる座標データと応用端末識別符号とにより、応用端末３０の移動軌跡を知ることができ、応用端末を追跡することができる。
【００６７】
以上、説明したように、本実施の形態によれば、通信端末１０は、あらかじめ定めた時間の経過、あるいは、移動距離で、自動的に応用端末３０から送信された位置を示す座標データを、他の装置（例えば、センタ２２）に送信することができ、他の装置（例えば、センタ２２）では、応用端末３０の移動軌跡を得ることができる。
【００６８】
【発明の効果】
以上説明したように、本発明のデータ転送システムによれば、応用端末と接続した状態にする必要がなく、通信端末は、あらかじめ定めたデータ種別を含むデータを外部から受信し、通信端末が受信したデータから当該の適応データを応用端末に転送することがきるという効果を有する。
【図面の簡単な説明】
【図１】本発明の第１の実施の形態におけるデータ転送システムの概略構成を示すブロック図
【図２】本発明の第１の実施の形態におけるデータ転送システムの動作を示す流れ図
【図３】本発明の第１の実施の形態におけるデータ転送システムを示す図で、
（ａ）テキスト形式のデータの場合の表示部における表示例を示す図
（ｂ）バイナリ形式のデータの場合の表示部における表示例を示す図
（ｃ）テキスト形式のデータの場合の送信用データとして生成した複写データを示す図
【図４】本発明の第２の実施の形態におけるデータ転送システムの動作を示す流れ図
【図５】本発明の第２の実施の形態におけるデータ転送システムの受信データの表示例を示す図
【図６】本発明の第３の実施の形態におけるデータ転送システムの動作を示す流れ図
【図７】本発明の第４の実施の形態におけるデータ転送システムの動作を示す流れ図
【符号の説明】
１０　通信端末
１１　通信部
１２　通信端末側データ転送部
１３　制御部
１４　記憶部
１５　操作部
１６　表示部
２０　ネットワーク
２１　情報データベース
２２　センタ
３０　応用端末
３１　応用端末側データ転送部
３２　表示部
３３　記憶部
３４　制御部
３５　操作部
３６　経路案内部
【図１】
2004140494.tif 000003
【図２】
2004140494.tif 000004
【図３】
2004140494.tif 000005
【図４】
2004140494.tif 000006
【図５】
2004140494.tif 000007
【図６】
2004140494.tif 000008
【図７】
2004140494.tif 000009